(57)【要約】【課題】遊技者に目立たない釘調整の達成を図る。【解決手段】遊技釘ａ１の中心と遊技釘ｂ１の中心および遊技釘ｃ１の中心を結ぶことによって形成される逆三角形が二等辺三角形になっており、逆三角形の頂点に位置する遊技釘ｃ１が開いた左の開閉体４１２から離れかつ開いた左の開閉体４１２の上端部の真上に位置しており、遊技釘ｃ１の前端部が図１の図示した位置から左側または右側に移動されるように、遊技釘ｃ１が調整された場合、該遊技釘ｃ１の調整された状態は、遊技盤２を前側から見る遊技者から目立たなくなり、遊技釘ａ１と遊技釘ｂ１との間から可変入賞口４０２に球の入る入賞率が変更される。【選択図】図１
2007289215.tif 000002
【特許請求の範囲】
【請求項１】
遊技基盤の前面における遊技領域には特定入賞口、上段の可変入賞口、上段の可変入賞口の真下に配置される下段の可変入賞口、上段の可変入賞口に対する遊技釘、下段の可変入賞口に対する遊技釘が設けられ、特定入賞口への球の入賞によって上段の可変入賞口および下段の可変入賞口が球の入賞可能な形態に開放した状態において球が上段の可変入賞口よりも先に下段の可変入賞口に入賞した場合には上段の可変入賞口が開放したままで下段の可変入賞口が閉鎖し、この上段の可変入賞口が開放したままで下段の可変入賞口が閉鎖した状態において球が上段の可変入賞口に入賞した場合には上段の可変入賞口が閉鎖しかつ下段の可変入賞口が再び開放し、また、上記特定入賞口への球の入賞によって上段の可変入賞口と下段の可変入賞口とが球の入賞可能な形態に開放した状態において球が下段の可変入賞口よりも先に上段の可変入賞口に入賞した場合には下段の可変入賞口が開放したままで上段の可変入賞口が閉鎖し、この下段の可変入賞口が開放したままで上段の可変入賞口が閉鎖した状態において球が下段の可変入賞口に入賞した場合には下段の可変入賞口が閉鎖する構成であり、上段の可変入賞口に対する遊技釘が上段の可変入賞口よりも上部で逆三角形を描くように３箇所に配置され、下段の可変入賞口に対する遊技釘が下段の可変入賞口よりも上部で逆三角形を描くように３箇所に配置されたことを特徴とするパチンコ遊技機の遊技盤。
【請求項２】
請求項１に記載の上段の可変入賞口には左右一対の開閉体が開閉体の下部を中心として遊技領域と平行に左右に開閉するように設けられ、左右一対の開閉体が開くことによって上段の可変入賞口が球の入賞可能な形態に開放し、左右一対の開閉体が閉じることによって上段の可変入賞口が球の入賞不可能な形態に閉鎖することを特徴とするパチンコ遊技機の遊技盤。
【請求項３】
請求項１に記載の下段の可変入賞口には左右一対の開閉体が開閉体の下部を中心として遊技領域と平行に左右に開閉するように設けられ、左右一対の開閉体が開くことによって下段の可変入賞口が球の入賞可能な形態に開放し、左右一対の開閉体が閉じることによって下段の可変入賞口が球の入賞不可能な形態に閉鎖することを特徴とするパチンコ遊技機の遊技盤。
【請求項４】
請求項２に記載の上段の可変入賞口が入賞連動機構を備え、入賞連動機構が特定の入賞口に入賞した球によって左右一対の開閉体を開いた後に上段の可変入賞口への球の入賞によって左右一対の開閉体を閉じることを特徴とするパチンコ遊技機の遊技盤。
【請求項５】
請求項３に記載の下段の可変入賞口が入賞連動機構を備え、入賞連動機構が特定の入賞口に入賞した球によって左右一対の開閉体を開いた後に下段の可変入賞口への球の入賞によって左右一対の開閉体を閉じることを特徴とするパチンコ遊技機の遊技盤。
【発明の詳細な説明】
【技術分野】
【０００１】
本発明は、遊技者に目立たない釘調整が行えるパチンコ遊技機の遊技盤に関する。
【背景技術】
【０００２】
パチンコ遊技機の遊技盤には、遊技基盤の前面における遊技領域に特定入賞口および複数の可変入賞口を設け、特定入賞口への球の入賞によって、複数の可変入賞口を球の入賞可能な形態に開放するようにしたものがある。また、可変入賞口に対する遊技釘が上部から球を可変入賞口に誘導する連釘を形成するように配置されたものもある。そこで、複数の可変入賞口の個々に対する遊技釘が上部から球を個々の可変入賞口に誘導する連釘を形成するように配置されることは考えられる。しかしながら、球の可変入賞口への入賞率を変更するために、遊技釘の遊技領域に接触した打ち込み位置を固定点として、遊技釘の前端部が遊技領域と平行な方向に移動されるように、遊技釘が調整された場合、誘導される球の流れ方の変化が目立ち、釘調整の行われたことが遊技者に容易に把握されてしまうという欠点がある。
【特許文献１】特開平４−３５４９６２号公報
【発明の開示】
【発明が解決しようとする課題】
【０００３】
発明が解決しようとする問題点は、釘調整が目立つという点である。
【課題を解決するための手段】
【０００４】
本発明に係るパチンコ遊技機の遊技盤は、遊技基盤の前面における遊技領域には特定入賞口、上段の可変入賞口、上段の可変入賞口の真下に配置される下段の可変入賞口、上段の可変入賞口に対する遊技釘、下段の可変入賞口に対する遊技釘が設けられ、特定入賞口への球の入賞によって上段の可変入賞口および下段の可変入賞口が球の入賞可能な形態に開放した状態において球が上段の可変入賞口よりも先に下段の可変入賞口に入賞した場合には上段の可変入賞口が開放したままで下段の可変入賞口が閉鎖し、この上段の可変入賞口が開放したままで下段の可変入賞口が閉鎖した状態において球が上段の可変入賞口に入賞した場合には上段の可変入賞口が閉鎖しかつ下段の可変入賞口が再び開放し、また、上記特定入賞口への球の入賞によって上段の可変入賞口と下段の可変入賞口とが球の入賞可能な形態に開放した状態において球が下段の可変入賞口よりも先に上段の可変入賞口に入賞した場合には下段の可変入賞口が開放したままで上段の可変入賞口が閉鎖し、この下段の可変入賞口が開放したままで上段の可変入賞口が閉鎖した状態において球が下段の可変入賞口に入賞した場合には下段の可変入賞口が閉鎖する構成であり、上段の可変入賞口に対する遊技釘が上段の可変入賞口よりも上部で逆三角形を描くように３箇所に配置され、下段の可変入賞口に対する遊技釘が下段の可変入賞口よりも上部で逆三角形を描くように３箇所に配置されたことを最も主要な特徴とする。上段の可変入賞口には左右一対の開閉体が開閉体の下部を中心として遊技領域と平行に左右に開閉するように設けられ、左右一対の開閉体が開くことによって上段の可変入賞口が球の入賞可能な形態に開放し、左右一対の開閉体が閉じることによって上段の可変入賞口が球の入賞不可能な形態に閉鎖したり、または、下段の可変入賞口には左右一対の開閉体が開閉体の下部を中心として遊技領域と平行に左右に開閉するように設けられ、左右一対の開閉体が開くことによって下段の可変入賞口が球の入賞可能な形態に開放し、左右一対の開閉体が閉じることによって下段の可変入賞口が球の入賞不可能な形態に閉鎖したり、または、上段の可変入賞口が入賞連動機構を備え、入賞連動機構が特定の入賞口に入賞した球によって左右一対の開閉体を開いた後に上段の可変入賞口への球の入賞によって左右一対の開閉体を閉じたり、または、下段の可変入賞口が入賞連動機構を備え、入賞連動機構が特定の入賞口に入賞した球によって左右一対の開閉体を開いた後に下段の可変入賞口への球の入賞によって左右一対の開閉体を閉じたりしてもよい。
【発明の効果】
【０００５】
本発明に係るパチンコ遊技機の遊技盤は、上段の可変入賞口に対する遊技釘が逆三角形を描くように３箇所に配置され、上段の可変入賞口の真下に配置される下段の可変入賞口に対する遊技釘が逆三角形を描くように３箇所に配置されているので、上段または下段の可変入賞口に最も近い１本の遊技釘を調整することによって、該１本の遊技釘に対する釘調整が遊技者から目立たなくなるうえ、球の上段または下段の可変入賞口への入賞率を変更することができるという利点がある。上段の可変入賞口には左右一対の開閉体が開閉体の下部を中心として遊技領域と平行に左右に開閉するように設けられ、左右一対の開閉体が開くことによって上段の可変入賞口が球の入賞可能な形態に開放し、左右一対の開閉体が閉じることによって上段の可変入賞口が球の入賞不可能な形態に閉鎖するか、または、下段の可変入賞口には左右一対の開閉体が開閉体の下部を中心として遊技領域と平行に左右に開閉するように設けられ、左右一対の開閉体が開くことによって下段の可変入賞口が球の入賞可能な形態に開放し、左右一対の開閉体が閉じることによって下段の可変入賞口が球の入賞不可能な形態に閉鎖するようにすれば、３箇所に配置された遊技釘が開いた開閉体への球の直撃を防ぐことができるという利点がある。上段の可変入賞口が入賞連動機構を備え、入賞連動機構が特定の入賞口に入賞した球によって左右一対の開閉体を開いた後に上段の可変入賞口への球の入賞によって左右一対の開閉体を閉じるか、または、下段の可変入賞口が入賞連動機構を備え、入賞連動機構が特定の入賞口に入賞した球によって左右一対の開閉体を開いた後に下段の可変入賞口への球の入賞によって左右一対の開閉体を閉じるようにすれば、開閉体を開くために、レバーのような別部材が不要となり、入賞連動機構の構造が簡単になるという利点がある。
【発明を実施するための最良の形態】
【０００６】
図１乃至図１１は、発明を実施するための最良の形態である。図１は、遊技盤２の主要部分の球の流れを示す。図２は、遊技盤２の主要部分の配置関係を示す。図３は、遊技盤２の主要部分の配置の概略を示す。図４は、遊技盤２の主要部分の作用を示す。図５は、パチンコ遊技機の正面を示す。図６は、第１乃至第１１入賞部品２１乃至３１における第１乃至第２２入賞口３２乃至５３の構成を示す。図７は、第１乃至第１１入賞部品２１乃至３１と第１乃至第２２入賞口３２乃至５３と払出と連動との相互関係を示す。図８は、球が入賞した場合における第１入賞口３２、第２入賞口３３、第５乃至第２２入賞口３６乃至５３の相互関係を示す。図９は、入賞部品１１１を分解して示す。図１０は、入賞部品１１１の外観を示す。図１１は、入賞部品１１１の作用を示す。本明細書において、「前」、「表」、「後」、「裏」、「左」、「右」、「上」、「下」の方向は、図５の状態に遊技機枠１および遊技盤２を置いて図１０の紙面の前側から見た場合に特定される方向である。「前」および「表」は、同じ方向である。「後」および「裏」は、同じ方向である。
【０００７】
図１乃至図４を参照し、パチンコ遊技機の遊技盤２の主要な構造について説明する。図３に示すように、遊技盤２は、遊技基盤２Ａの前面における遊技領域１３に、特定入賞口４００、上段の可変入賞口４０１；４０２；４０３、下段の可変入賞口４０４：４０５；４０６を備える。特定入賞口４００、可変入賞口４０１乃至４０６は、遊技領域１３から入賞した球を遊技基盤２Ａの裏側に排出する。特定入賞口４００は、球の入賞によって、可変入賞口４０１と可変入賞口４０２と可変入賞口４０３および可変入賞口４０５を球の入賞可能な形態に開放するための入賞口を構成する。可変入賞口４０１乃至４０３は、互いに、左右方向に離れて配置される。可変入賞口４０４乃至４０６は、互いに、左右方向に離れて配置される。可変入賞口４０１の真下には、可変入賞口４０４が、可変入賞口４０１より離れて配置される。可変入賞口４０２の真下には、可変入賞口４０５が、可変入賞口４０２より離れて配置される。可変入賞口４０３の真下には、可変入賞口４０６が、可変入賞口４０３より離れて配置される。可変入賞口４０１乃至４０６のいずれか１つに入賞するたびに、賞球として定められた個数の球が遊技者に提供される。
【０００８】
可変入賞口４０１には、左右一対の開閉体４１１が、開閉体４１１の下部を中心として遊技領域１３と平行に左右に開閉するように設けられる。開閉体４１１が開くことによって可変入賞口４０１が球の入賞可能な形態に開放し、開閉体４１１が閉じることによって可変入賞口４０１が球の入賞不可能な形態に閉鎖する。可変入賞口４０２には、左右一対の開閉体４１２が、開閉体４１２の下部を中心として遊技領域１３と平行に左右に開閉するように設けられる。開閉体４１２が開くことによって可変入賞口４０２が球の入賞可能な形態に開放し、開閉体４１２が閉じることによって可変入賞口４０２が球の入賞不可能な形態に閉鎖する。可変入賞口４０３には、左右一対の開閉体４１３が、開閉体４１３の下部を中心として遊技領域１３と平行に左右に開閉するように設けられる。開閉体４１３が開くことによって可変入賞口４０３が球の入賞可能な形態に開放し、開閉体４１３が閉じることによって可変入賞口４０３が球の入賞不可能な形態に閉鎖する。
【０００９】
可変入賞口４０４には、左右一対の開閉体４１４が、開閉体４１４の下部を中心として遊技領域１３と平行に左右に開閉するように設けられる。開閉体４１４が開くことによって可変入賞口４０４が球の入賞可能な形態に開放し、開閉体４１４が閉じることによって可変入賞口４０４が球の入賞不可能な形態に閉鎖する。可変入賞口４０５には、左右一対の開閉体４１５が、開閉体４１５の下部を中心として遊技領域１３と平行に左右に開閉するように設けられる。開閉体４１５が開くことによって可変入賞口４０５が球の入賞可能な形態に開放し、開閉体４１５が閉じることによって可変入賞口４０５が球の入賞不可能な形態に閉鎖する。可変入賞口４０６には、左右一対の開閉体４１６が、開閉体４１６の下部を中心として遊技領域１３と平行に左右に開閉するように設けられる。開閉体４１６が開くことによって可変入賞口４０６が球の入賞可能な形態に開放し、開閉体４１６が閉じることによって可変入賞口４０６が球の入賞不可能な形態に閉鎖する。
【００１０】
図３に示すように開閉体４１１乃至４１６が閉じ、可変入賞口４０１乃至４０６が球の入賞不可能な形態に閉鎖した状態において、図４のステップＳ１に示すように、遊技領域１３から球Ｐ１が特定入賞口４００に入賞すると、開閉体４１１乃至４１３；４１５が開き、可変入賞口４０１乃至４０３；４０５が球の入賞可能な形態に開放する。
【００１１】
そして、図４のステップＳ２に示すように、開閉体４１１が開き、可変入賞口４０１が球の入賞可能な形態に開放された状態において、球Ｐ２が遊技領域１３から可変入賞口４０１に入賞する。すると、図４のステップＳ３に示すように、開閉体４１１が閉じ、可変入賞口４０１が球の入賞不可能な形態に閉鎖し、開閉体４１４が開き、可変入賞口４０４が球の入賞可能な形態に開放された状態において、球Ｐ３が遊技領域１３から可変入賞口４０４に入賞する。すると、図４のステップＳ４に示すように、開閉体４１４が閉じ、可変入賞口４０４が球の入賞不可能な形態に閉鎖する。つまり、ステップＳ４では、開閉体４１１；４１４が閉じ、可変入賞口４０１；４０４が球の入賞不可能な形態に閉鎖する。
【００１２】
図４のステップＳ５に示すように、開閉体４１２；４１５が開き、可変入賞口４０２；４０５が球の入賞可能な形態に開放した状態において、球Ｐ４が遊技領域１３から可変入賞口４０２に入賞する。すると、図４のステップＳ６に示すように、開閉体４１２が閉じ、可変入賞口４０２が球の入賞不可能な形態に閉鎖し、開閉体４１５が開いたまま、可変入賞口４０５が球の入賞可能な形態に開放したままの状態において、球Ｐ５が遊技領域１３から可変入賞口４０５に入賞する。すると、図４のステップＳ７に示すように、開閉体４１５が閉じ、可変入賞口４０５が球の入賞不可能な形態に閉鎖する。つまり、ステップＳ７では、開閉体４１２；４１５が閉じ、可変入賞口４０２；４０５が球の入賞不可能な形態に閉鎖する。
【００１３】
図４のステップＳ８に示すように、開閉体４１２；４１５が開き、可変入賞口４０２；４０５が球の入賞可能な形態に開放した状態において、球Ｐ６が遊技領域１３から可変入賞口４０５に入賞する。すると、図４のステップＳ９に示すように、開閉体４１５が閉じ、可変入賞口４０５が球の入賞不可能な形態に閉鎖し、開閉体４１２が開いたまま、可変入賞口４０２が球の入賞可能な形態に開放したままの状態において、球Ｐ７が遊技領域１３から可変入賞口４０２に入賞する。すると、図４のステップＳ１０に示すように、開閉体４１２が閉じ、可変入賞口４０２が球の入賞不可能な形態に閉鎖し、開閉体４１５が再び開き、可変入賞口４０５が球の入賞可能な形態に再び開放した状態において、球Ｐ８が遊技領域１３から可変入賞口４０５に入賞する。すると、図４のステップＳ１１に示すように、開閉体４１５が閉じ、可変入賞口４０５が球の入賞不可能な形態に閉鎖する。ステップＳ１１では、開閉体４１２；４１５が閉じ、可変入賞口４０２；４０５が球の入賞不可能な形態に閉鎖する。
【００１４】
図４のステップＳ１２に示すように、開閉体４１３が開き、可変入賞口４０３が球の入賞可能な形態に開放された状態において、球Ｐ９が遊技領域１３から可変入賞口４０３に入賞する。すると、図４のステップＳ１３に示すように、開閉体４１３が閉じ、可変入賞口４０３が球の入賞不可能な形態に閉鎖し、開閉体４１６が開き、可変入賞口４０６が球の入賞可能な形態に開放した状態において、球Ｐ１０が遊技領域１３から可変入賞口４０６に入賞する。すると、図４のステップＳ１４に示すように、開閉体４１６が閉じ、可変入賞口４０６が球の入賞不可能な形態に閉鎖する。つまり、ステップＳ１４では、開閉体４１３；４１６が閉じ、可変入賞口４０３；４０６が球の入賞不可能な形態に閉鎖する。
【００１５】
換言すると、図４のステップＳ１乃至Ｓ４に示すように、球Ｐ１が遊技領域１３から特定入賞口４００に入賞し、可変入賞口４０１乃至４０３；４０５が球の入賞可能な形態に開放した状態において、球Ｐ２が遊技領域１３から可変入賞口４０１に入賞すると、可変入賞口４０１が球の入賞不可能な形態に閉鎖し、可変入賞口４０４が球の入賞可能な形態に開放する。その後、球Ｐ２が遊技領域１３から可変入賞口４０４に入賞すると、可変入賞口４０４が球の入賞不可能な形態に閉鎖する。
【００１６】
図４のステップＳ１；Ｓ１２乃至Ｓ１４に示すように、球Ｐ１が遊技領域１３から特定入賞口４００に入賞し、可変入賞口４０１乃至４０３；４０５が球の入賞可能な形態に開放した状態において、球Ｐ９が遊技領域１３から可変入賞口４０３に入賞すると、可変入賞口４０３が球の入賞不可能な形態に閉鎖し、可変入賞口４０６が球の入賞可能な形態に開放する。その後、球Ｐ１０が遊技領域１３から可変入賞口４０６に入賞すると、可変入賞口４０６が球の入賞不可能な形態に閉鎖する。
【００１７】
図４のステップＳ１；Ｓ５乃至Ｓ７に示すように、球Ｐ１が遊技領域１３から特定入賞口４００に入賞し、可変入賞口４０１乃至４０３；４０５が球の入賞可能な形態に開放した状態において、球Ｐ４が遊技領域１３から可変入賞口４０５よりも先の時点に可変入賞口４０２に入賞した場合には、可変入賞口４０５が球の入賞可能な形態に開放したままで可変入賞口４０２が球の入賞不可能な形態に閉鎖し、この可変入賞口４０５が球の入賞可能な形態に開放したままで可変入賞口４０２が球の入賞不可能な形態に閉鎖した状態において、球Ｐ５が遊技領域１３から可変入賞口４０５に入賞した場合には、可変入賞口４０５が球の入賞不可能な形態に閉鎖する。
【００１８】
図４のステップＳ１；Ｓ８乃至Ｓ１１に示すように、球Ｐ１が遊技領域１３から特定入賞口４００に入賞し、可変入賞口４０１乃至４０３；４０５が開放した状態において、球Ｐ６が遊技領域１３から可変入賞口４０２よりも先の時点に可変入賞口４０５に入賞した場合には、可変入賞口４０２が球の入賞可能な形態に開放したままで可変入賞口４０５が球の入賞不可能な形態に閉鎖し、この可変入賞口４０２が球の入賞可能な形態に開放したままで可変入賞口４０５が球の入賞不可能な形態に閉鎖した状態において、球Ｐ７が遊技領域１３から可変入賞口４０２に入賞した場合には可変入賞口４０２が球の入賞不可能な形態に閉鎖しかつ可変入賞口４０５が球の入賞可能な形態に再び開放する。この可変入賞口４０２が球の入賞不可能な形態に閉鎖しかつ可変入賞口４０５が球の入賞可能な形態に再び開放した状態において、球Ｐ８が遊技領域１３から可変入賞口４０５に入賞した場合には可変入賞口４０５が球の入賞不可能な形態に閉鎖する。
【００１９】
要するに、特定入賞口４００への球の入賞によって、可変入賞口４０２；４０５が球の入賞可能な形態に開放された状態において、球が遊技領域１３から下段の可変入賞口４０５よりも先に上段の可変入賞口４０２に入賞した場合よりも、球が遊技領域１３から上段の可変入賞口４０２よりも先に下段の可変入賞口４０５に入賞した場合の方が、遊技者に賞球として提供される球の個数が多くなるという利点がある。
【００２０】
図２に示すように、遊技基盤２Ａの遊技領域１３には、遊技釘２０および風車４０７；４０８が設けられる。風車４０７は、可変入賞口４０１より離れ、可変入賞口４０１の真上に配置される。風車４０８は、可変入賞口４０３より離れ、可変入賞口４０３の真上に配置される。遊技釘２０のうちで、可変入賞口４０２に対する遊技釘には、符号ａ１；ｂ１；ｃ１；ａ２；ｂ２；ｃ２を付し、可変入賞口４０５に対する遊技釘には、ａ３；ｂ３；ｃ３；ａ４；ｂ４；ｃ４を付す。遊技釘ａ１；ｂ１；ｃ１は、可変入賞口４０２における左の開いた開閉体４１２よりも左上部で逆三角形を描くように３箇所に配置される。遊技釘ａ２；ｂ２；ｃ２は、可変入賞口４０２における右の開いた開閉体４１２よりも右上部で逆三角形を描くように３箇所に配置される。遊技釘ａ３；ｂ３；ｃ３は、可変入賞口４０５における左の開いた開閉体４１５よりも左上部で逆三角形を描くように３箇所に配置される。遊技釘ａ４；ｂ４；ｃ４は、可変入賞口４０５における右の開いた開閉体４１５よりも右上部で逆三角形を描くように３箇所に配置される。
【００２１】
遊技釘ａ１；ｂ１；ｃ１と右の開閉体４１１と左の開閉体４１２との関係について説明する。遊技釘ｃ１の中心を通る鉛直線Ｌ１と遊技釘ａ１；ｂ１の中心を通る水平線Ｌ２とは互いに直交する。鉛直線Ｌ１は、開いた左の開閉体４１２の上端部を通る。遊技釘ｃ１と開いた左の開閉体４１２との間の間隔Ｑ１、開いた右の開閉体４１１と開いた左の開閉体４１２との間の間隔Ｒ１、遊技釘ａ１と遊技釘ｂ１との間の間隔Ｔ１、遊技釘ｂ１と遊技釘ｃ１との間の間隔Ｕ１、遊技釘ａ１と遊技釘ｃ１との間の間隔Ｖ１は、１個の球が通過可能であるが、２個の球が同時に通過不可能に設定される。間隔Ｔ１＞間隔Ｕ１＝間隔Ｖ１。よって、遊技釘ａ１の中心と遊技釘ｂ１の中心および遊技釘ｃ１の中心を結ぶことによって形成される逆三角形は、遊技釘ａ１の中心と遊技釘ｂ１の中心とを結ぶ線分を底辺とし、遊技釘ａ１の中心と遊技釘ｃ１の中心とを結ぶ線分を斜辺とし、遊技釘ｂ１の中心と遊技釘ｃ１の中心とを結ぶ線分を斜辺とした、二等辺三角形である。
【００２２】
遊技釘ａ２；ｂ２；ｃ２と右の開閉体４１２と左の開閉体４１３との関係について説明する。遊技釘ｃ２の中心を通る鉛直線Ｌ３と遊技釘ａ２；ｂ２の中心を通る水平線Ｌ４とは互いに直交する。水平線Ｌ２；Ｌ４は、１本の直線を構成する。鉛直線Ｌ３は、開いた右の開閉体４１２の上端部を通る。遊技釘ｃ２と開いた右の開閉体４１２との間の間隔Ｑ２、開いた右の開閉体４１２と開いた左の開閉体４１３との間の間隔Ｒ２、遊技釘ａ２と遊技釘ｂ２との間の間隔Ｔ２、遊技釘ｂ２と遊技釘ｃ２との間の間隔Ｕ２、遊技釘ａ２と遊技釘ｃ２との間の間隔Ｖ２は、１個の球が通過可能であるが、２個の球が同時に通過不可能に設定される。間隔Ｔ２＞間隔Ｕ２＝間隔Ｖ２。よって、遊技釘ａ２の中心と遊技釘ｂ２の中心および遊技釘ｃ２の中心を結ぶことによって形成される逆三角形は、遊技釘ａ２の中心と遊技釘ｂ２の中心とを結ぶ線分を底辺とし、遊技釘ａ２の中心と遊技釘ｃ２の中心とを結ぶ線分を斜辺とし、遊技釘ｂ２の中心と遊技釘ｃ２の中心とを結ぶ線分を斜辺とした、二等辺三角形である。
【００２３】
遊技釘ａ３；ｂ３；ｃ３と右の開閉体４１４と左の開閉体４１５との関係について説明する。遊技釘ｃ３の中心を通る鉛直線Ｌ５と遊技釘ａ３；ｂ３の中心を通る水平線Ｌ６とは互いに直交する。鉛直線Ｌ５は、開いた左の開閉体４１５の上端部よりも内側部分を通る。遊技釘ｃ３と開いた左の開閉体４１５との間の間隔Ｑ３、開いた右の開閉体４１４と開いた左の開閉体４１５との間の間隔Ｒ３、遊技釘ａ３と遊技釘ｂ３との間の間隔Ｔ３、遊技釘ｂ３と遊技釘ｃ３との間の間隔Ｕ３、遊技釘ａ３と遊技釘ｃ３との間の間隔Ｖ３は、１個の球が通過可能であるが、２個の球が同時に通過不可能な寸法に設定される。間隔Ｔ３＞間隔Ｕ３＝間隔Ｖ３。よって、遊技釘ａ３の中心と遊技釘ｂ３の中心および遊技釘ｃ３の中心を結ぶことによって形成される逆三角形は、遊技釘ａ３の中心と遊技釘ｂ３の中心とを結ぶ線分を底辺とし、遊技釘ａ３の中心と遊技釘ｃ３の中心とを結ぶ線分を斜辺とし、遊技釘ｂ３の中心と遊技釘ｃ３の中心とを結ぶ線分を斜辺とした、二等辺三角形である。
【００２４】
遊技釘ａ４；ｂ４；ｃ４と右の開閉体４１５と左の開閉体４１６との関係について説明する。遊技釘ｃ４の中心を通る鉛直線Ｌ７と遊技釘ａ４；ｂ４の中心を通る水平線Ｌ８とは互いに直交する。水平線Ｌ６；Ｌ８は、１本の水平線を構成する。鉛直線Ｌ７は、開いた右の開閉体４１５の上端部よりも内側部分を通る。遊技釘ｃ４と開いた右の開閉体４１５との間の間隔Ｑ４、開いた右の開閉体４１５と開いた左の開閉体４１６との間の間隔Ｒ４、遊技釘ａ４と遊技釘ｂ４との間の間隔Ｔ４、遊技釘ｂ４と遊技釘ｃ４との間の間隔Ｕ４、遊技釘ａ４と遊技釘ｃ４との間の間隔Ｖ４は、１個の球が通過可能であるが、２個の球が同時に通過不可能な寸法に設定される。間隔Ｔ４＞間隔Ｕ４＝間隔Ｖ４。よって、遊技釘ａ４の中心と遊技釘ｂ４の中心および遊技釘ｃ４の中心を結ぶことによって形成される逆三角形は、遊技釘ａ４の中心と遊技釘ｂ４の中心とを結ぶ線分を底辺とし、遊技釘ａ４の中心と遊技釘ｃ４の中心とを結ぶ線分を斜辺とし、遊技釘ｂ４の中心と遊技釘ｃ４の中心とを結ぶ線分を斜辺とした、二等辺三角形である。
【００２５】
図１に示すように、特定入賞口４００への球の入賞によって、開閉体４１１乃至４１３；４１５が開き、可変入賞口４０１乃至４０３；４０５が球の入賞可能な形態に開放し、開閉体４１４；４１６が閉じ、可変入賞口４０４；４０６が球の入賞不可能な形態に閉鎖された状態において、球Ｐ１１が、矢印Ｘ５１で示すように、遊技釘ａ１と遊技釘ｂ１との間を通過した場合、遊技釘ｃ１に衝突する。よって、遊技釘ａ１と遊技釘ｂ１との間を通過した球Ｐ１１が、その真下における開いた左の開閉体４１２を直撃しない。遊技釘ａ１と遊技釘ｂ１との間を通過した後に遊技釘ｃ１に衝突した球は、矢印Ｘ５２で示すように、遊技釘ｃ１の左側に振り分けられるか、または、矢印Ｘ５３で示すように、遊技釘ｃ１の右側に振り分けられる。矢印Ｘ５２で示すように、遊技釘ｃ１の左側に振り分けられた球は、開いた左の開閉体４１１と開いた右の開閉体４１２との間を落下するか、または、開いた右の開閉体４１１の上から可変入賞口４０１に入賞する。矢印Ｘ５３で示すように、遊技釘ｃ１の右側に振り分けられた球は、開いた左の開閉体４１２の上から可変入賞口４０２に入賞する。
【００２６】
そして、遊技釘ｃ１の遊技領域１３に接触した打ち込み位置を固定点として、遊技釘ｃ１の前端部が図１における図示した位置から右側に移動されるように、遊技釘ｃ１が調整された場合、遊技釘ａ１と遊技釘ｂ１との間を通過した後に遊技釘ｃ１に衝突した球は、矢印Ｘ５３で示す方向よりも矢印Ｘ５２で示す方向に振り分けられる可能性が高くなり、遊技釘ａ１と遊技釘ｂ１との間を通過した球が可変入賞口４０２に入る可能性が低くなる。これとは逆に、遊技釘ｃ１の遊技領域１３に接触した打ち込み位置を固定点として、遊技釘ｃ１の前端部が図示した位置から左側に移動されるように、遊技釘ｃ１が調整された場合、遊技釘ａ１と遊技釘ｂ１との間を通過した後に遊技釘ｃ１に衝突した球は、矢印Ｘ５２で示す方向よりも矢印Ｘ５３で示す方向に振り分けられる可能性が高くなり、遊技釘ａ１と遊技釘ｂ１との間を通過した球が可変入賞口４０２に入る可能性が高くなる。
【００２７】
遊技釘ａ１の中心と遊技釘ｂ１の中心および遊技釘ｃ１の中心を結ぶことによって形成される逆三角形が二等辺三角形になっており、逆三角形の頂点に位置する遊技釘ｃ１が開いた左の開閉体４１２から離れかつ開いた左の開閉体４１２の上端部の真上に位置するので、遊技釘ｃ１の前端部が図１の図示した位置から左側または右側に移動されるように、遊技釘ｃ１が調整された場合、該遊技釘ｃ１の調整された状態は、遊技盤２を前側から見る遊技者から目立たなくなるうえ、遊技釘ａ１と遊技釘ｂ１との間から可変入賞口４０２に球の入る入賞率が変更できるという利点がある。
【００２８】
矢印Ｘ５２で示すように、遊技釘ｃ１の左側から開いた左の開閉体４１１と開いた右の開閉体４１２との間を落下した球は、遊技釘ａ３から離れかつ遊技釘ａ３の真上に位置する遊技釘ｄに衝突して、矢印Ｘ５４で示すように遊技釘ｄの左側または矢印Ｘ５５で示すように遊技釘ｄの右側に振り分けられる。矢印Ｘ５４で示す方向または矢印Ｘ５５で示す方向に振り分けられた球が、遊技釘ａ３と遊技釘ｄとの間で左右相対峙する遊技釘ｅの間を通過して遊技釘ａ３と遊技釘ｂ３との間を通過した場合、遊技釘ｃ３に衝突する。よって、遊技釘ａ３と遊技釘ｂ３との間を通過した球は、その真下における開いた左の開閉体４１５を直撃しない。遊技釘ａ３と遊技釘ｂ３との間を通過した後に遊技釘ｃ３に衝突した球は、矢印Ｘ５６で示すように、遊技釘ｃ３の左側に振り分けられるか、または、矢印Ｘ５７で示すように、遊技釘ｃ３の右側に振り分けられる。矢印Ｘ５６で示すように、遊技釘ｃ３の左側に振り分けられた球は、開いた左の開閉体４１５の左側を落下する。矢印Ｘ５７で示すように、遊技釘ｃ３の右側に振り分けられた球は、開いた左の開閉体４１５の上から可変入賞口４０５に入賞する。また、開閉体４１４が開いている場合、矢印Ｘ５６で示すように、遊技釘ｃ３の左側から開いた左の開閉体４１５の左側を落下した球は、開いた右の開閉体４１４の上から可変入賞口４０４に入賞する可能性もある。
【００２９】
そして、遊技釘ｃ３の遊技領域１３に接触した打ち込み位置を固定点として、遊技釘ｃ３の前端部が図１における図示した位置から右側に移動されるように、遊技釘ｃ３が調整された場合、遊技釘ａ３と遊技釘ｂ３との間を通過した後に遊技釘ｃ３に衝突した球は、矢印Ｘ５７で示す方向よりも矢印Ｘ５６で示す方向に振り分けられる可能性が高くなり、遊技釘ａ３と遊技釘ｂ３との間を通過した球が可変入賞口４０５に入る可能性が低くなる。これとは逆に、遊技釘ｃ３の遊技領域１３に接触した打ち込み位置を固定点として、遊技釘ｃ３の前端部が図示した位置から左側に移動されるように、遊技釘ｃ３が調整された場合、遊技釘ａ３と遊技釘ｂ３との間を通過した後に遊技釘ｃ３に衝突した球は、矢印Ｘ５６で示す方向よりも矢印Ｘ５７で示す方向に振り分けられる可能性が高くなり、遊技釘ａ３と遊技釘ｂ３との間を通過した球が可変入賞口４０５に入る可能性が高くなる。
【００３０】
遊技釘ａ３の中心と遊技釘ｂ３の中心および遊技釘ｃ３の中心を結ぶことによって形成される逆三角形が二等辺三角形になっており、逆三角形の頂点に位置する遊技釘ｃ３が開いた左の開閉体４１５から離れかつ開いた左の開閉体４１５の上端部よりも内側部分の真上に位置するので、遊技釘ｃ３の前端部が図１の図示した位置から左側または右側に移動されるように、遊技釘ｃ３が調整された場合、該遊技釘ｃ３の調整された状態は、遊技盤２を前側から見る遊技者から目立たなくなるうえ、遊技釘ａ３と遊技釘ｂ３との間から可変入賞口４０５に球の入る入賞率が変更できるという利点がある。
【００３１】
図１において、遊技釘ｃ１または遊技釘ｃ３が図示した位置から左側または右側に目立たなくなるように調整することができ、遊技釘ｃ１または遊技釘ｃ３が図示した位置から左側または右側に調整され、開閉体４１１乃至４１３；４１５が特定入賞口４００への球の入賞によって開き、可変入賞口４０１乃至４０３；４１５が球の入賞可能な形態に開放し、開閉体４１４；４１６が閉じ、可変入賞口４０４；４０６が球の入賞不可能な形態に閉鎖された状態において、球Ｐ１１が、矢印Ｘ５１で示すように、遊技釘ａ１と遊技釘ｂ１との間を通過した場合、可変入賞口４０２よりも先の時点に可変入賞口４０５に入賞すれば、可変入賞口４０５よりも先の時点に可変入賞口４０２に入賞するよりも、遊技者に賞球として提供される球の個数が多くなり、逆に、可変入賞口４０５よりも先の時点に可変入賞口４０２に入賞すれば、可変入賞口４０２よりも先の時点に可変入賞口４０５に入賞するよりも、遊技者に賞球として提供される球の個数が少なくなるというように、相克するパチンコ遊技の結果を遊技者に提供できるという利点がある。
【００３２】
図５を参照し、図１の遊技盤２を用いたパチンコ遊技機の構造について説明する。パチンコ遊技機は、大まかには、遊技機枠１の内部に遊技盤２を交換可能に格納した形態である。遊技機枠１は、固定枠３の前側に可動枠４を開閉可能に備え、可動枠４の前側に前扉５および皿構造体６を開閉可能に備える。固定枠３は、遊技機設置構造体に取り付けるための外枠とも呼ばれる。遊技機設置構造体は、遊技店のパチンコ遊技機を設置する島とも呼ばれる設備である。可動枠４は、遊技盤２、球発射機構７、図外の球払出機構など遊技に必要な部品を取り付ける前枠とも呼ばれる。球払出機構は、可動枠４の裏部に設けられる。前扉５は、パネル枠とも呼ばれ、前後方向に貫通する窓９を備える。窓９は、前面パネル１０で塞がれる。前面パネル１０は、前扉５の裏面に設けられた光透過性の有る無色なガラスのような板状の部材により構成される。皿構造体６の前面には、球受皿部１１および球発射操作機構１２が設けられる。
【００３３】
遊技盤２の正面の構造について説明する。遊技盤２は、遊技基盤２Ａに、多種多様な遊技部品を備える。遊技基盤２Ａの前面には、遊技領域１３が設けられる。遊技盤２が遊技機枠１に格納された場合、遊技領域１３は、遊技機枠１の前側から窓９および前面パネル１０を経由して視認される。遊技領域１３は、遊技盤２の前面の内ガイドレール１４および外ガイドレール１５で囲まれた内側の部分である。遊技領域１３の左側には、球発射通路１６が接続される。球発射通路１６は、内ガイドレール１４の左側部と外ガイドレール１５の左側部との間の隙間によって形成される。遊技領域１３には、アウト口１７、球戻り防止弁１８、球反発体１９、遊技釘２０、第１入賞部品２１、第２入賞部品２２、第３入賞部品２３、第４入賞部品２４、第５入賞部品２５、第６入賞部品２６、第７入賞部品２７、第８入賞部品２８、第９入賞部品２９、第１０入賞部品３０、第１１入賞部品３１が設けられる。内ガイドレール１４、外ガイドレール１５、アウト口１７、球戻り防止弁１８、球反発体１９、遊技釘２０、第１乃至第１１入賞部品２１乃至３１は、遊技基盤２Ａの前側に設けられる多種多様な遊技部品を構成する。図５では、図１の風車４０７；４０８の図示が省略されている。
【００３４】
図６を参照し、第１乃至第１１入賞部品２１乃至３１における入賞口の構成について説明する。図６において、第６入賞口３７が大当たり遊技を発生するための特定入賞口を構成し、第１乃至第５入賞口３２乃至３６および第７乃至第２２入賞口３８乃至５３が特定入賞口以外の入賞口を構成する。第１入賞部品２１は、第１入賞口３２を備える。第２入賞部品２２は、第２入賞口３３を備える。第３入賞部品２３は、第３入賞口３４、第４入賞口３５、第５入賞口３６、第６入賞口３７、第７入賞口３８、第８入賞口３９、第９入賞口４０、第１０入賞口４１、第１１入賞口４２、第１２入賞口４３からなる１０個の入賞口を備える。第４入賞部品２４は、第１３入賞口４４、第１４入賞口４５を備える。第５入賞部品２５は、第１５入賞口４６、第１６入賞口４７を備える。第６入賞部品２６は、第１７入賞口４８を備える。第７入賞部品２７は、第１８入賞口４９を備える。第８入賞部品２８は、第１９入賞口５０を備える。第９入賞部品２９は、第２０入賞口５１を備える。第１０入賞部品３０は、第２１入賞口５２を備える。第１１入賞部品３１は、第２２入賞口５３を備える。第３入賞口３４には、図外の第３入賞球検出器が設けられる。第４入賞口３５には、図外の第４入賞球検出器が設けられる。
【００３５】
第１乃至第７入賞口３２乃至３８、第１２入賞口４３、第１４入賞口４５、第１６入賞口４７は、球を取り入れる口の大きさが不変な入賞口として構成される。第８乃至第１１入賞口３９乃至４２、第１３入賞口４４、第１５入賞口４６、第１７乃至第２２入賞口４８乃至５３は、球を取り入れる口の大きさが可変な入賞口として、球を取り入れる口の部分に開閉体を備え、開閉体が開放されると球を取り入れる口に球を入れることが可能になり、開閉体が閉鎖されると球を取り入れる口に球を入れることが不可能になるように、構成される。第１入賞口３２、第２入賞口３３、第５乃至第２２入賞口３６乃至５３は、入賞した球を遊技盤２の裏側に排出する。第３入賞口３４、第４入賞口３５は、入賞した球を第５乃至第７入賞口３６乃至３８のいずれかに必ず入賞するように第３入賞部品２３の前側で下方に落下する。第１乃至第４入賞口３２乃至３５、第８乃至第２２入賞口３９乃至５３は、球が入賞すると、賞球を払い出す。第５乃至第７入賞口３６乃至３８は、球が入賞しても、賞球を払い出さない。
【００３６】
第５入賞口３６、第８入賞口３９、第９入賞口４０、第１４入賞口４５のいずれかに入賞した球は、遊技盤２の裏側に排出され、第１３入賞口４４の開閉体を開放する。第７入賞口３８、第１０入賞口４１、第１１入賞口４２、第１６入賞口４７のいずれかに入賞した球は、遊技盤２の裏側に排出され、第１５入賞口４６の開閉体を開放する。第６入賞口３７に入賞した球は、遊技盤２の裏側に排出され、第１７乃至第１９入賞口４８乃至５０の開閉体、第２１入賞口５２の開閉体を開放する。第１７入賞口４８の開閉体が開放中において、第１７入賞口４８に入賞した球は、遊技盤２の裏側に排出され、第２０入賞口５１の開閉体を開放する。第１８入賞口４９の開閉体が開放中において、第１８入賞口４９に入賞した球は、遊技盤２の裏側に排出され、第２１入賞口５２の開閉体を開放する。第１９入賞口５０の開閉体が開放中において、第１９入賞口５０に入賞した球は、遊技盤２の裏側に排出され、第２２入賞口５３の開閉体を開放する。
【００３７】
要するに、図７にも示すように、第５入賞口３６に球が入賞した場合、賞球が払い出されず、第１３入賞口４４の開閉体が開放されるように、第５入賞口３６への入賞に第１３入賞口４４の開閉体の開放が連動する。第６入賞口３７に球が入賞した場合、賞球が払い出されず、第８乃至第１１入賞口３９乃至４２と第１７乃至第１９入賞口４８乃至５０および第２１入賞口５２の開閉体が開放されるように、第６入賞口３７への入賞に第８乃至第１１入賞口３９乃至４２と第１７乃至第１９入賞口４８乃至５０および第２１入賞口５２の開閉体の開放が連動する。第７入賞口３８に球が入賞した場合、賞球が払い出されず、第１５入賞口４６の開閉体が開放されるように、第７入賞口３８への入賞に第１５入賞口４６の開閉体の開放が連動する。第８入賞口３９に球が入賞した場合、賞球が払い出され、第１３入賞口４４の開閉体が開放されるように、第８入賞口３９への入賞に第１３入賞口４４の開閉体の開放が連動する。第９入賞口４０に球が入賞した場合、賞球が払い出され、第１３入賞口４４の開閉体が開放されるように、第９入賞口４０への入賞に第１３入賞口４４の開閉体の開放が連動する。第１０入賞口４１に球が入賞した場合、賞球が払い出され、第１５入賞口４６の開閉体が開放されるように、第１０入賞口４１への入賞に第１５入賞口４６の開閉体の開放が連動する。第１１入賞口４２に球が入賞した場合、賞球が払い出され、第１５入賞口４６の開閉体が開放されるように、第１１入賞口４２への入賞に第１５入賞口４６の開閉体の開放が連動する。第１４入賞口４５に球が入賞した場合、賞球が払い出され、第１３入賞口４４の開閉体が開放されるように、第１４入賞口４５への入賞に第１３入賞口４４の開閉体の開放が連動する。第１６入賞口４７に球が入賞した場合、賞球が払い出され、第１５入賞口４６の開閉体が開放されるように、第１１入賞口４２への入賞に第１５入賞口４６の開閉体の開放が連動する。第１７入賞口４８に球が入賞した場合、賞球が払い出され、第２０入賞口５１の開閉体が開放されるように、第１７入賞口４８への入賞に第２０入賞口５１の開閉体の開放が連動する。第１８入賞口４９に球が入賞した場合、賞球が払い出され、第２１入賞口５２の開閉体が開放されるように、第１８入賞口４９への入賞に第２１入賞口５２の開閉体の開放が連動する。第１９入賞口５０に球が入賞した場合、賞球が払い出され、第２２入賞口５３の開閉体が開放されるように、第１９入賞口５０への入賞に第２２入賞口５３の開閉体の開放が連動する。
【００３８】
図７において、入賞部品欄の第１乃至第１１は、図６の第１乃至第１１入賞部品２１乃至３１を表す。入賞口欄の第１乃至第２２は、図６の第１乃至第２２入賞口３２乃至５３を表す。払出欄の○印は、当該欄の左側に位置する入賞口への入賞に対し、賞球が払い出されることを表す。払出欄の×印は、当該欄の左側に位置する入賞口への入賞に対し、賞球が払い出されないことを表す。連動欄の○印は、当該欄の左側に位置する入賞口への入賞に対し、連動する入賞口が有ることを表す。連動欄の○印の右側には、連動する入賞口の該当する番号を表す。連動する入賞口の該当する番号は、図６の第８乃至第１１入賞口３９乃至４２と第１３入賞口４４と第１５入賞口４６と第１７乃至第２２入賞口４８乃至５３を表す。
【００３９】
図８を参照し、球が入賞した場合における第１入賞口３２、第２入賞口３３、第５乃至第２２入賞口３６乃至５３の相互関係について説明する。遊技盤２の裏面には、球通路が次のように構成される。第１球通路８３は、第１入賞口３２から遊技盤２の裏側に排出された球を、矢印Ｘ１で示す経路で、下方に誘導する。第１球通路８３を通過する球は、第１球通路８３に設けられた第１入賞球検出器６２で検出される。第２球通路８４は、第２入賞口３３、第１２入賞口４３のいずれかから遊技盤２の裏側に排出された球を、矢印Ｘ２；Ｘ３のいずれかで示す経路で、下方に誘導する。第２球通路８４を通過する球は、第２球通路８４に設けられた第２入賞球検出器６３で検出される。つまり、第１入賞口３２、第２入賞口３３、第１２入賞口４３のいずれかに入賞した球は、賞球の払い出しを伴い、他の入賞口の開閉体を開放することなく、遊技盤２の下部から下方に排出される。
【００４０】
第３球通路８５は、第５入賞口３６、第８入賞口３９、第９入賞口４０のいずれかから遊技盤２の裏側に排出された球を、矢印Ｘ４；Ｘ５；Ｘ６のいずれかで示す経路で、第１３入賞口４４の開閉体を開放するための作動体３１１の上に誘導する。第４球通路８６は、第１４入賞口４５から遊技盤２の裏側に排出された球を、矢印Ｘ７で示す経路で、真下の作動体３１１の上に誘導する。作動体３１１の後部は、その上に乗った球の重さで下方に動き、作動体３１１の前部が第１３入賞口４４の開閉体を開放する。作動体３１１の後部が下方に動くと、その上に乗った球は、作動体３１１から第１３入賞口４４を迂回して左斜め下方の第５球通路８７に排出される。第５球通路８７は、作動体３１１から排出された球を、矢印Ｘ８で示す経路で、第１球通路８３の下部に集合するように誘導する。第５入賞口３６に入賞した球は、第５入賞口３６に設けられた第５入賞球検出器６６で検出される。第８入賞口３９に入賞した球は、第８入賞口３９から第３球通路８５に球を誘導する球通路８５Ａに設けられた第８入賞球検出器６９で検出される。第９入賞口４０に入賞した球は、第９入賞口４０から第３球通路８５に球を誘導する球通路８５Ｂに設けられた第９入賞球検出器７０で検出される。第１４入賞口４５に入賞した球は、第１４入賞口４５に設けられた第１３入賞球検出器７４で検出される。つまり、第５入賞口３６、第８入賞口３９、第９入賞口４０、第１４入賞口４５のいずれかに入賞した球は、賞球の払い出しを伴い、第１３入賞口４４の開閉体を開放し、遊技盤２の下部から下方に排出される。
【００４１】
第６球通路８８は、第７入賞口３８、第１０入賞口４１、第１１入賞口４２のいずれかから遊技盤２の裏側に排出された球を、矢印Ｘ９；Ｘ１０；Ｘ１１のいずれかで示す経路で、第１５入賞口４６の開閉体を開放するための作動体３１２の上に誘導する。第７球通路８９は、第１６入賞口４７から遊技盤２の裏側に排出された球を、矢印Ｘ１２で示す経路で、真下の作動体３１２の上に誘導する。作動体３１２の後部は、その上に乗った球の重さで下方に動き、作動体３１２の前部が第１５入賞口４６の開閉体を開放する。作動体３１２の後部が下方に動くと、その上に乗った球は、作動体３１２から第１５入賞口４６を迂回して右斜め下方の第８球通路９０に排出される。第８球通路９０は、作動体３１２から排出された球を、矢印Ｘ１３で示す経路で、第２球通路８４の下部に集合するように誘導する。第７入賞口３８に入賞した球は、第７入賞口３８に設けられた第７入賞球検出器６８で検出される。第１０入賞口４１に入賞した球は、第７入賞口３８から第６球通路８８に球を誘導する球通路８８Ａに設けられた第１０入賞球検出器７１で検出される。第１１入賞口４２に入賞した球は、第７入賞口３８から第６球通路８８に球を誘導する球通路８８Ｂに設けられた第１１入賞球検出器７２で検出される。第１６入賞口４７に入賞した球は、第１６入賞口４７に設けられた第１５入賞球検出器７６で検出される。つまり、第７入賞口３８、第１０入賞口４１、第１１入賞口４２のいずれかに入賞した球は、賞球の払い出しを伴い、第１５入賞口４６の開閉体を開放し、遊技盤２の下部から下方に排出される。
【００４２】
第９球通路９１は、第６入賞口３７から遊技盤２の裏側に排出された球を、矢印Ｘ１４で示す経路で、第１８入賞口４９の開閉体を開放するための部材の上に誘導する。第６入賞口３７に入賞した球は、第６入賞口３７に設けられた第６入賞球検出器６７で検出される。第１８入賞口４９の開閉体を開放するための部材に向けて第９球通路９１を落下する球は、その途中で、図外の第１乃至第４レバーを動かす。上側の第１および第２レバーは、第８乃至第１１入賞口３９乃至４２の開閉体を開放するための部材を個別に動かす。これによって、第８乃至第１１入賞口３９乃至４２の開閉体が開放する。下側の第３および第４レバーは、第１７入賞口４８および第１９入賞口５０の開閉体を開放するための作動体３１３；３１４の後部を個別に下方に動かす。これによって、作動体３１３；３１４の前部が第１７入賞口４８の開閉体および第１９入賞口５０の開閉体を個別に開放する。下側の第３および第４レバーを動かした後の第９球通路９１を落下する球は、第１８入賞口４９の開閉体を開放するための作動体３１５の上に誘導される。これによって、作動体３１５の後部がその上に乗った球の重さで下方に動き、作動体３１５の前部が第１８入賞口４９の開閉体を開放する。作動体３１５の後部が下方に動くと、その上に乗った球は、作動体３１５から第１８入賞口４９を迂回して左斜め下方の第１０球通路９２に排出される。
【００４３】
第１０球通路９２は、作動体３１５から排出された球を、矢印Ｘ１５で示す経路で、第１１球通路９３の下部に集合するように誘導する。第１１球通路９３の下部に誘導された球は、矢印Ｘ１６で示す経路で、第１１球通路９３を下方に落下して第２１入賞口５２の開閉体を開放するための作動体３１６の上に誘導される。作動体３１６の後部がその上に乗った球の重さで下方に動き、作動体３１６の前部が第２１入賞口５２の開閉体を開放する。作動体３１６の後部が下方に動くと、その上に乗った球は、作動体３１６から第２１入賞口５２を迂回して左斜め下方の第１２球通路９４に排出される。第１２球通路９４は、作動体３１６から排出された球を、矢印Ｘ１７で示す経路で、下方に排出する。つまり、第６入賞口３７に入賞した球は、賞球の払い出しを伴い、第８乃至第１１入賞口３９乃至４２の開閉体を開放し、第１７乃至第１９入賞口４８乃至５０の開閉体を開放し、第２１入賞口５２の開閉体を開放し、遊技盤２の下部から下方に排出される。
【００４４】
第１８入賞口４９から遊技盤２の裏側に排出された球は、矢印Ｘ１６で示す経路で、第１１球通路９３を経由して作動体３１６の上に落下した後、矢印Ｘ１７で示す経路で第１２球通路９４に排出される。第１８入賞口４９に入賞した球は、第１１球通路９３における第１０球通路９２の合流する部分よりも上部に設けられた第１７入賞球検出器７８で検出される。つまり、第１８入賞口４９に入賞した球は、賞球の払い出しを伴い、第２１入賞口５２の開閉体を開放し、遊技盤２の下部から下方に排出される。第２１入賞口５２から遊技盤２の裏側に排出された球は、矢印Ｘ１８で示す経路で、第１３球通路９５に排出される。第２１入賞口５２に入賞した球は、第１３球通路９５に設けられた第２０入賞球検出器８１で検出される。つまり、第２１入賞口５２に入賞した球は、賞球の払い出しを伴い、他の入賞口の開閉体を開放することなく、遊技盤２の下部から下方に排出される。
【００４５】
第１３入賞口４４から遊技盤２の裏側に排出された球は、矢印Ｘ１９で示す経路で、第１４球通路９６から第１５球通路９７に排出される。第１３入賞口４４に入賞した球は、第１４球通路９６に設けられた第１２入賞球検出器７３で検出される。つまり、第１３入賞口４４に入賞した球は、賞球の払い出しを伴い、他の入賞口の開閉体を開放することなく、遊技盤２の下部から下方に排出される。第１５入賞口４６から遊技盤２の裏側に排出された球は、矢印Ｘ２０で示す経路で、第１６球通路９８から第１７球通路９９に排出される。第１５入賞口４６に入賞した球は、第１６球通路９８に設けられた第１４入賞球検出器７５で検出される。つまり、第１５入賞口４６に入賞した球は、賞球の払い出しを伴い、他の入賞口の開閉体を開放することなく、遊技盤２の下部から下方に排出される。
【００４６】
第１７入賞口４８から遊技盤２の裏側に排出された球は、矢印Ｘ２１で示す経路で、第１８球通路１００を経由して第２０入賞口５１の開閉体を開放するための作動体３１７の上に誘導される。作動体３１７の後部がその上に乗った球の重さで下方に動き、作動体３１７の前部が第２０入賞口５１の開閉体を開放する。作動体３１７の後部が下方に動くと、その上に乗った球は、矢印Ｘ２２で示す経路で、作動体３１７から第２０入賞口５１を迂回して右斜め下方の第１９球通路１０１に排出される。第１７入賞口４８に入賞した球は、第１８球通路１００に設けられた第１６入賞球検出器７７で検出される。つまり、第１７入賞口４８に入賞した球は、賞球の払い出しを伴い、第２０入賞口５１の開閉体を開放し、遊技盤２の下部から下方に排出される。第２０入賞口５１から遊技盤２の裏側に排出された球は、矢印Ｘ２３で示す経路で、第２０球通路１０２に排出される。第２０入賞口５１に入賞した球は、第２０球通路１０２に設けられた第１９入賞球検出器８０で検出される。つまり、第２０入賞口５１に入賞した球は、賞球の払い出しを伴い、他の入賞口の開閉体を開放することなく、遊技盤２の下部から下方に排出される。
【００４７】
第１９入賞口５０から遊技盤２の裏側に排出された球は、矢印Ｘ２４で示す経路で、第２１球通路１０３を経由して第２２入賞口５３の開閉体を開放するための作動体３１８の上に誘導される。作動体３１８の後部がその上に乗った球の重さで下方に動き、作動体３１８の前部が第２２入賞口５３の開閉体を開放する。作動体３１８の後部が下方に動くと、その上に乗った球は、矢印Ｘ２５で示す経路で、第２２球通路１０４に排出される。第１９入賞口５０に入賞した球は、第２１球通路１０３に設けられた第１８入賞球検出器７９で検出される。つまり、第１９入賞口５０に入賞した球は、賞球の払い出しを伴い、第２２入賞口５３の開閉体を開放し、遊技盤２の下部から下方に排出される。第２２入賞口５３から遊技盤２の裏側に排出された球は、矢印Ｘ２６で示す経路で、第２３球通路１０５に排出される。第２２入賞口５３に入賞した球は、第２３球通路１０５に設けられた第２１入賞球検出器８２で検出される。つまり、第２２入賞口５３に入賞した球は、賞球の払い出しを伴い、他の入賞口の開閉体を開放することなく、遊技盤２の下部から下方に排出される。
【００４８】
最良の形態では、図１の特定入賞口４００が図８の第６入賞口３７に相等し、図１の可変入賞口４０１が図８の第１７入賞口４８に相等し、図１の可変入賞口４０２が図８の第１８入賞口４９に相等し、図１の可変入賞口４０３が図８の第１９入賞口５０に相等し、図１の可変入賞口４０４が図８の第２０入賞口５１に相等し、図１の可変入賞口４０５が図８の第２１入賞口５２に相等し、図１の可変入賞口４０６が図８の第２２入賞口５３に相等する。よって、図１の可変入賞口４０１が図８の作動体３１３を備え、図１の可変入賞口４０２が図８の作動体３１５を備え、図１の可変入賞口４０３が図８の作動体３１４を備え、図１の可変入賞口４０４が図８の作動体３１７を備え、図１の可変入賞口４０５が図８の作動体３１６を備え、図１の可変入賞口４０６が図８の作動体３１８を備える。したがって、図８に示すように、第６入賞口３７に入賞した球が、第９球通路９１を落下する過程において作動体３１５を動かし、作動体３１５が図１の可変入賞口４０２に対する左右一対の開閉体４１２を開く。つまり、図１の可変入賞口４０２が図８の作動体３１５から成る入賞連動機構を備えるので、図１の左右一対の開閉体４１２を開くために、レバーのような別部材が不要となり、作動体３１５から成る入賞連動機構の構造が簡単になるという利点がある。また、作動体３１５を動かした球が、第９球通路９１から第１０球通路９２を経由して第１１球通路９３を落下する過程において作動体３１６を動かし、作動体３１６が図１の可変入賞口４０５に対する左右一対の開閉体４１５を開く。つまり、図１の可変入賞口４０５が図８の作動体３１６から成る入賞連動機構を備えるので、図１の左右一対の開閉体４１５を開くために、レバーのような別部材が不要となり、作動体３１６から成る入賞連動機構の構造が簡単になるという利点がある。
【００４９】
図９を参照し、作動体３１５または作動体３１６から成る入賞連動機構の構造について、作動体３１５または作動体３１６に相等する作動体１２２から成る入賞連動機構を備えた入賞部品１１１を例として説明する。入賞部品１１１は、図１の可変入賞口４０２または可変入賞口４０５を有する入賞部品を構成するものであって、部品基盤１１２、前化粧盤１１３、開閉体１１４；１１５、開閉軸１１６；１１７、保持体１１８、作動軸１１９、止輪１２０、止ねじ１２１、作動体１２２を備える。部品基盤１１２は、板状であって、入賞口１２６、軸受部１２７；１２８、化粧取付孔部１２９、盤取付孔部１３０、作動収容部１３１を備える。入賞口１２６は、可変入賞口４０２または可変入賞口４０５に相等するものであって、部品基盤１１２に前後方向への貫通孔として形成される。軸受部１２７；１２８は、開閉軸１１６；１１７を個別に取り付けるものであって、部品基盤１１２の前面から内部に窪む軸受孔を備え、部品基盤１１２に設けられる。化粧取付孔部１２９は、前化粧盤１１３を取り付けるものであって、前後方向への貫通孔として、部品基盤１１２に設けられる。部品基盤１１２の右下部にも化粧取付孔部１２９が設けられるが、該化粧取付孔部１２９の図示は省略されている。
【００５０】
盤取付孔部１３０は、入賞部品１１１を図５の遊技基盤２Ａに取り付けるものであって、前後方向への貫通孔として、部品基盤１１２に設けられる。作動収容部１３１は、作動体１２２を収容するものであって、入賞口１２６を縁取るように、部品基盤１１２の裏面から裏側に突出した筒状である。作動収容部１３１における左右一対の壁には、軸受孔１３４；１３５、止取付孔１３６；１３７、球逃避部１３８；１３９が設けられる。球逃避部１３８；１３９の上部を囲む左右一対の壁の後部は、保護壁１４０で互いに繋がれる。作動収容部１３１における底壁は、球排出部１４１を構成する。球排出部１４１は、入賞口１２６から作動体１２２の下球排出部１６７を経由して裏側に排出された球を裏側に排出する斜面として構成される。
【００５１】
前化粧盤１１３は、板状であって、傘部１４３、軸受孔部１４４；１４５、球導入部１４６、受止部１４７；１４８、取付孔部１４９を備える。傘部１４３は、開閉体１１４；１１５が閉じた場合において、球が開閉体１１４；１１５の間から入賞口１２６の側に取り込まれることがないように、入賞口１２６への球の入賞を阻止するものであって、前化粧盤１１３の上部に位置し、前化粧盤１１３の裏面から裏側に突出する。軸受孔部１４４；１４５は、開閉軸１１６；１１７を個別に取り付けるものであって、裏側から内部に窪む軸受孔を備え、前化粧盤１１３の裏面から裏側に突出するように、前化粧盤１１３の裏面に設けられる。
【００５２】
球導入部１４６は、開いた開閉体１１４；１１５の間から開閉体１１４；１１５を閉じて入賞口１２６の側に落下した球を、入賞口１２６に誘導するものであって、前化粧盤１１３の下部に位置し、左右一対の壁と底壁とによって囲まれた形態である。球導入部１４６における左右一対の壁は、前化粧盤１１３の裏面から裏側に突出する。球導入部１４６の底壁は、左右一対の壁の下部に繋がるように前化粧盤１１３の裏面から裏側に突出する。底壁における球と接触する上面は、球を前化粧盤１１３から裏側に誘導する斜面を形成する。
【００５３】
受止部１４７は、左の開閉体１１４が閉じる場合において、開閉体１１４の被受止部１５３を受け止めることによって、開閉体１１４の閉じ過ぎを防止するものであって、球導入部１４６における左の壁から上部に突出するように、前化粧盤１１３の裏面から裏側に突出する。受止部１４８は、右の開閉体１１５が閉じる場合において、開閉体１１５の被受止部１５６を受け止めることによって、開閉体１１５の閉じ過ぎを防止するものであって、球導入部１４６における右の壁から上部に突出するように、前化粧盤１１３の裏面から裏側に突出する。取付孔部１４９は、前化粧盤１１３を部品基盤１１２に取り付ける止ねじ１２１を締結する筒状であって、前化粧盤１１３の裏面から裏側に突出する。
【００５４】
前化粧盤１１３が部品基盤１１２に取り付けられる場合、前化粧盤１１３の裏面が、部品基盤１１２の側に向けられる。傘部１４３が、開閉体１１４；１１５の前側から開閉体１１４；１１５における上部の間に挿入される。開閉体１１４；１１５が、球導入部１４６よりも上部に配置されるように、前化粧盤１１３と部品基盤１１２との間に取り込まれる。軸受孔部１４４；１４５が、開閉軸１１６；１１７における開閉体１１４；１１５よりも前側に突出した部分に個別に嵌め込まれる。その後、止ねじ１２１が部品基盤１１２の裏側から盤取付孔部１３０を経由して取付孔部１４９に締結される。これによって、前化粧盤１１３が部品基盤１１２に取り付けられる。
【００５５】
開閉体１１４；１１５は、図１の開閉体４１２または開閉体４１５に相等するものであって、互いに左右で対を成す。開閉体１１４の下部には、軸受孔１５２、被受止部１５３、錘１５４が設けられる。軸受孔１５２は、前後方向への貫通孔として形成される。被受止部１５３は、開閉体１１４の下部から下方に突出する突起として形成される。錘１５４は、開閉体１１４の裏面から内部に埋め込まれる。開閉体１１４が部品基盤１１２に取り付けられる場合、開閉体１１４が左に位置するように部品基盤１１２の前側に配置され、開閉軸１１６が開閉体１１４の前側から軸受孔１５２を経由して軸受部１２７に嵌め込まれる。開閉体１１４では、錘１５４が開閉体１１４の上部を右から左に回転する重さを備えて配置されているので、開閉体１１４が部品基盤１１２に取り付けられた場合、開閉体１１４は開閉軸１１６を中心として部品基盤１１２の前面に沿って左右方向に回転可能であるが、開閉体１１４に回転を阻止する力が作用しない状態では、開閉体１１４が開閉軸１１６を中心として左に回転して開いた状態になる。
【００５６】
開閉体１１５の下部には、軸受孔１５５、被受止部１５６、錘１５７が設けられる。軸受孔１５５は、前後方向への貫通孔として形成される。被受止部１５６は、開閉体１１５の下部から下方に突出する突起として形成される。錘１５７は、開閉体１１５の裏面から内部に埋め込まれる。開閉体１１５が部品基盤１１２に取り付けられる場合、開閉体１１５が右に位置するように部品基盤１１２の前側に配置され、開閉軸１１７が開閉体１１５の前側から軸受孔１５５を経由して軸受部１２８に嵌め込まれる。開閉体１１５では、錘１５７が開閉体１１５の上部を左から右に回転する重さを備えて配置されているので、開閉体１１５が部品基盤１１２に取り付けられた場合、開閉体１１５は開閉軸１１７を中心として部品基盤１１２の前面に沿って左右方向に回転可能であるが、開閉体１１５に回転を阻止する力が作用しない状態では、開閉体１１５が開閉軸１１７を中心として右に回転して開いた状態になる。開閉軸１１６；１１７は、開閉体１１４；１１５の前後方向の寸法よりも前後方向に長い丸棒として構成される。
【００５７】
保持体１１８は、作動体１２２の後部が球の重さで前部よりも下方に位置するように、作動体１２２が傾斜した場合に、それ以上、作動体１２２が傾斜しないように、受け止めるとともに、作動体１２２の永久磁石１７２が吸着されることによって、作動体１２２を傾斜した状態に保つ強磁性体により構成される。保持体１１８の中央部には、くびれ部１５９が設けられる。保持体１１８の両端部には、挿入部１６０；１６１が設けられる。くびれ部１５９および挿入部１６０；１６１の外径は、保持体１１８の両端部の外径よりも細い。
【００５８】
保持体１１８が部品基盤１１２に取り付けられる場合、保持体１１８が作動体１２２よりも下部に配置されて部品基盤１１２に取り付けられる。それには、挿入部１６０が作動収容部１３１の内側から止取付孔１３６に嵌め込まれ、挿入部１６１が作動収容部１３１の内側から止取付孔１３７に嵌め込まれる。挿入部１６０；１６１が止取付孔１３６；１３７に嵌め込まれる場合、作動収容部１３１の左壁および右壁における止取付孔１３６；１３７の周囲の部分が外側に撓んだ後に内側に復元する。保持体１１８におけるくびれ部１５９と挿入部１６０；１６１との間の両端部が復元した作動収容部１３１の左壁および右壁を受け止める。よって、保持体１１８が作動収容部１３１の左壁および右壁から脱落しないように作動収容部１３１に取り付けられ、くびれ部１５９が作動収容部１３１の内部に配置される。
【００５９】
作動軸１１９は、作動体１２２の左右方向の寸法よりも左右方向に長い丸棒として構成される。作動軸１１９の一端部には、頭部１６３が設けられる。頭部１６３は、作動軸１１９の直径および軸受孔１７１の直径よりも大きな外径を有する。作動軸１１９の他端部には、溝１６４が設けられる。溝１６４は、止輪１２０を取り付けるものであって、作動軸１１９の外周面から内部に窪む形状である。止輪１２０は、環状の一部が除去された形状である。作動軸１１９が部品基盤１１２に取り付けられる場合、作動軸１１９の他端部が作動収容部１３１の外側から軸受孔１３４と作動体１２２の軸受孔１７１および軸受孔１３５を順に経由して作動収容部１３１に嵌め込まれ、作動収容部１３１から外側に突出した溝１６４に止輪１２０が装着され、作動軸１１９が止輪１２０および頭部１６３で作動収容部１３１に脱落しないように取り付けられて作動体１２２を部品基盤１１２に上下方向に回転可能に支持する。
【００６０】
作動体１２２は、図８の作動体３１５または作動体３１６に相等するものであって、作動収容部１３１に収容され、上球排出部１６６、下球排出部１６７、球誘導突起１６８、受止部１６９；１７０、軸受孔１７１、永久磁石１７２を備える。上球排出部１６６は、上球排出部１６６の上方から落下した球を受け止めて左右の一側方に排出するような斜面として、作動体１２２の後上部に形成される。下球排出部１６７は、開いた開閉体１１４；１１５の間から開閉体１１４；１１５を閉じて入賞口１２６の側に落下した球を、入賞口１２６から裏側に誘導するものであって、作動体１２２の下部に形成される。球誘導突起１６８は、球を作動体１２２の上面から上球排出部１６６に誘導するものであって、作動体１２２の左縁部から上方に突出するように作動体１２２の左縁部に設けられる。
【００６１】
受止部１６９は、開閉体１１４の被受止部１５３を上方から下方に押し下げて開閉体１１４を閉じるものであって、作動体１２２の前上左部に設けられる。受止部１７０は、開閉体１１５の被受止部１５６を上方から下方に押し下げて開閉体１１５を閉じるものであって、作動体１２２の前上右部に設けられる。軸受孔１７１は、上球排出部１６６と受止部１６９；１７０との間に位置し、作動体１２２に左右方向への貫通孔として形成される。永久磁石１７２は、球が上球排出部１６６の上に落下することによって、作動体１２２の後部が前部よりも下がるように、作動体１２２が傾斜した場合、保持体１１８を磁力で吸着し、該作動体１２２の傾斜した姿勢を保持するものであって、作動体１２２の後下部に埋め込まれて設けられる。
【００６２】
作動体１２２が部品基盤１１２に取り付けられる場合、上球排出部１６６が上になり、下球排出部１６７および永久磁石１７２が下になり、受止部１６９；１７０が前になるように、作動体１２２が作動収容部１３１の内部に収容される。その後、作動軸１１９が軸受孔１３４；１３５と軸受孔１７１との双方に嵌め込まれ、作動体１２２が部品基盤１１２に取り付けられる。作動体１２２は、軸受孔１７１を境とする前部が後部よりも重い重量配分のもと構成されている。よって、作動体１２２が部品基盤１１２に取り付けられた場合、作動体１２２の前部が作動軸１１９を中心として下方に回転し、下球排出部１６７の前部が入賞口１２６の下縁部に上方から受け止められる。
【００６３】
図９では、作動体１２２が、部品基盤１１２の裏部における作動収容部１３１の内部に収容される。保持体１１８が、部品基盤１１２の止取付孔１３６；１３７に装着される。作動軸１１９が、作動体１２２の軸受孔１７１および部品基盤１１２の軸受孔１３４；１３５の双方に装着される。開閉体１１４；１１５が部品基盤１１２の前部に配置され、開閉軸１１６；１１７が開閉体１１４；１１５の軸受孔１５２；１５５と部品基盤１１２の軸受部１２７；１２８とに装着される。前化粧盤１１３が開閉体１１４；１１５を前側から被覆して部品基盤１１２の前部に配置され、止ねじ１２１が部品基盤１１２の裏側から化粧取付孔部１２９を経由して前化粧盤１１３の取付孔部１４９に締結される。これによって、作動体１２２を使用した入賞部品１１１が、図１１に示す構造の入賞部品１１１として組み立てられる。
【００６４】
図９乃至図１１を参照し、入賞部品１１１の作用について説明する。図９および図１０において、開閉体１１４；１１５が開いた状態において、作動体１２２の前部が作動軸１１９を中心として下方に回転するのに伴い、受止部１６９；１７０が開閉体１１４；１１５における後側の被受止部１５３；１５６を押し下げる。これによって、開閉体１１４が開閉軸１１６を中心として左から右に回転して閉じられ、開閉体１１５が開閉軸１１７を中心として右から左に回転して閉じられ、下球排出部１６７の前部が入賞口１２６の下縁部に上方から受け止められる。図１１のａ図に示すように、開閉体１１４；１１５が閉じられた場合、受止部１６９；１７０と被受止部１５３；１５６とが互いに左右方向で対向して掛け止められ、開閉体１１４；１１５が開放されない。また、開閉体１１４；１１５の上部が傘部１４３と左右方向で対向し、球が開閉体１１４；１１５の間から入賞口１２６の側に取り込まれない。
【００６５】
前記のように開閉体１１４；１１５が閉じられた状態において、図１１のｃ図に示すように、球が矢印Ｘ３１で示すように作動体１２２の後部に落下すると、作動体１２２の前部が作動軸１１９を中心として矢印Ｘ３２で示す上方に回転し、作動体１２２の永久磁石１７２が図１１のｄ図に示すように保持体１１８に吸着される。上記作動体１２２の前部の上方への回転に伴い、図１１のａ図に示す受止部１６９；１７０と被受止部１５３；１５６との左右方向での対向が解除される。すると、図１１のｂ図に示すように、開閉体１１４；１１５が錘１５４；１５７の重さによって開閉軸１１６；１１７を中心として左右に開き、その開いた形態が錘１５４；１５７の重さによって保持される。開閉体１１４；１１５が開放されると、開閉体１１４；１１５における被受止部１５３；１５６の側の下部が互いに近づく。この近づいた開閉体１１４；１１５の下部間の間隔Ｈ１は、１個の球の直径Ｄ１よりも小さい（Ｈ１＜Ｄ１）。
【００６６】
開閉体１１４；１１５が開いた状態において、球が開閉体１１４；１１５の間に入って開閉体１１４；１１５の下部に到達すると、球が開閉体１１４；１１５の下部を押し下げ、開閉体１１４；１１５が開閉軸１１６；１１７を中心として閉じる。これに伴い、図１１のａ図に示すように、開閉体１１４；１１５の下部が互いに離れる。この離れた開閉体１１４；１１５の下部間の間隔が、１個の球Ｐ（図１１のｂ図参照）の直径よりも大きくなる。したがって、図１１のｄ図に示すように、球Ｐが開閉体１１４；１１５の下部の間を落下して下球排出部１６７の前部に受け止められる。
【００６７】
球Ｐが下球排出部１６７の前部に受け止められると、下球排出部１６７に受け止められた球の重さによって、保持体１１８と永久磁石１７２との吸着が解除され、作動体１２２の前部が作動軸１１９を中心として矢印Ｘ３３で示す下方に回転する。これによって、受止部１６９；１７０が図１１のｂ図に示す位置から図１１のａ図に示す位置へと下降するのに伴い、図１１のａ図に示すように、受止部１６９；１７０が被受止部１５３；１５６と対向し、開閉体１１４；１１５が閉じられた形態に保持され、図１１のｃ図に示すように、下球排出部１６７が入賞口１２６の下縁部に上方から受け止められ、作動体１２２の下方への回転が停止する。
【００６８】
つまり、図９の作動体１２２に相等する図８の作動体３１５からなる入賞連動機構が図１の可変入賞口４０２に設けられ、この作動体３１５からなる入賞連動機構が図１の特定入賞口４００に入賞した球によって図１の左右一対の開閉体４１２を開いた後に可変入賞口４０２への球の入賞によって左右一対の開閉体４１２を閉じる。これによって、図１０の入賞部品１１１が図５の遊技基盤２Ａに取り付けられる場合、上球排出部１６６が図８の第９球通路９１に格納されるようにすれば、図１の左右一対の開閉体４１２を開くために、レバーのような別部材が不要となり、作動体３１５から成る入賞連動機構の構造が簡単になるという利点がある。
【００６９】
また、図９の作動体１２２に相等する図８の作動体３１６からなる入賞連動機構が図１の可変入賞口４０５に設けられ、この作動体３１６からなる入賞連動機構が図１の特定入賞口４００に入賞した球によって左右一対の開閉体４１５を開いた後に可変入賞口４０５への球の入賞によって左右一対の開閉体４１５を閉じる。これによって、図１０の入賞部品１１１が図５の遊技基盤２Ａに取り付けられる場合、上球排出部１６６が図８の第１１球通路９３に格納されるようにすれば、図１の左右一対の開閉体４１５を開くために、レバーのような別部材が不要となり、作動体３１６から成る入賞連動機構の構造が簡単になるという利点がある。第１１球通路９３は、図１１のｄ図において、４２１は球導出部品、４２２は部品逃避孔である。球導出部品４２１は、セット盤とも呼ばれ、遊技基盤２Ａの裏面に釘などの固定具で取り付けられ、遊技基盤２Ａの裏面と球導出部品４２１とによって、図８の第１乃至第２３球通路８３乃至１０５を形成する。図１１のｄ図において、部品逃避孔４２２は、入賞部品１１１における部品基盤１１２の裏面から裏側に突出した裏側部分を逃げるために、前後方向への貫通孔として、遊技基盤２Ａに形成される。よって、入賞部品１１１の裏側部分が遊技基盤２Ａの前側から部品逃避孔４２２に挿入され、部品基盤１１２の裏面が遊技基盤２Ａの遊技領域１３に接触し、部品基盤１１２が前側から木ねじやねじ釘などの固定具で遊技基盤２Ａに取り付けられることによって、作動体１２２から排出される球が第１１球通路９３に取り込まれる。
【産業上の利用可能性】
【００７０】
図９において、開閉体１１４；１１５を球で動く作動体１２２からなる入賞変動機構で開閉する電気を使用しない構造を例示したが、電磁ソレノイドを部品基盤１１２の裏面に取り付け、電磁ソレノイドで開閉体１１４；１１５を開閉する電気を使用する構造でも適用できる。この場合、開閉体１１４；１１５が開いた後、１個または複数個の球が入賞部品１１１に入賞したことを検出した信号で開閉体１１４；１１５を閉じたり、開閉体１１４；１１５が開いてからの経過時間が設定時間に到達することで開閉体１１４；１１５を閉じたりする。
【００７１】
図９の開閉体１１４；１１５が１つの板状部材で構成され、この板状部材の下部が部品基盤１１２に軸で回転可能に取り付けられ、板状部材が軸を中心として部品基盤１１２から前側に開くことによって、遊技領域１３から球が板状部材を経由して入賞口１２６に入賞するように、板状部材が入賞口１２６を開放し、板状部材が軸を中心として部品基盤１１２の側に閉じることによって、遊技領域１３から球が入賞口１２６に入賞しないように、板状部材が入賞口１２６を閉鎖する構造でもよい。
【図面の簡単な説明】
【００７２】
【図１】遊技盤の主要部分の正面図（最良の形態）。
【図２】遊技盤の主要部分の正面図（最良の形態）。
【図３】遊技盤の主要部分の模式図（最良の形態）。
【図４】遊技盤の主要部分の作用説明図（最良の形態）。
【図５】パチンコ遊技機の正面図（最良の形態）。
【図６】第１乃至第１１入賞部品における入賞口の構成を示す遊技盤の正面からの模式図（最良の形態）。
【図７】第１乃至第１１入賞部品と第１乃至第２２入賞口と払出と連動との相互関係を示す図表（最良の形態）。
【図８】球が入賞した場合における第１入賞口、第２入賞口、第５乃至第２２入賞口の相互関係を示す遊技盤の背面からの模式図（最良の形態）。
【図９】入賞部品の分解斜視図（最良の形態）。
【図１０】入賞部品の斜視図（最良の形態）。
【図１１】入賞部品の作用説明図（最良の形態）。
【符号の説明】
【００７３】
２      遊技盤
２Ａ    遊技基盤
１２２  作動体
３１５  作動体
３１６  作動体
４００  特定入賞口
４０２  可変入賞口（上段の可変入賞口）
４０５  可変入賞口（下段の可変入賞口）
４１２  開閉体
４１５  開閉体
ａ１    遊技釘
ａ２    遊技釘
ａ３    遊技釘
ａ４    遊技釘
ｂ１    遊技釘
ｂ２    遊技釘
ｂ３    遊技釘
ｂ４    遊技釘
ｃ１    遊技釘
ｃ２    遊技釘
ｃ３    遊技釘
ｃ４    遊技釘
【図１】
2007289215.tif 000003
【図２】
2007289215.tif 000004
【図３】
2007289215.tif 000005
【図４】
2007289215.tif 000006
【図５】
2007289215.tif 000007
【図６】
2007289215.tif 000008
【図７】
2007289215.tif 000009
【図８】
2007289215.tif 000010
【図９】
2007289215.tif 000011
【図１０】
2007289215.tif 000012
【図１１】
2007289215.tif 000013